(57)【要約】【課題】簡単な構成を付加するだけで、暗い場所でも電子カメラにより被写体を撮影することができるカメラ付き携帯電話を提供することにある。【解決手段】被写体を撮像する電子カメラを内蔵し、その電子カメラによる被写体の撮像で取り込まれた画像を送受信するアンテナ１０を電話本体１の上部に設けたカメラ付き携帯電話において、前記アンテナ１０から発せられる高周波により発光させて前記電子カメラによる被写体の撮像時に被写体を照明する発光ユニット１１を前記電話本体１と別体で設ける。発光ユニット１１は、電話本体１に付設されたストラップ２０に取り付けられた発光部１２と、その発光部１２と電気的に接続され、前記アンテナ１０に挿通可能な小型筒形状を有する給電部１３とで構成する。【選択図】　　図１
2004140421.tif 000002
【特許請求の範囲】
【請求項１】
被写体を撮像する電子カメラを内蔵し、その電子カメラによる被写体の撮像で取り込まれた画像を送受信するアンテナを電話本体の上部に設けたカメラ付き携帯電話において、前記アンテナから発せられる高周波により発光させて前記電子カメラによる被写体の撮像時に被写体を照明する発光ユニットを前記電話本体と別体で設けたことを特徴とするカメラ付き携帯電話。
【請求項２】
前記発光ユニットは、電話本体に付設されたストラップに取り付けられた発光部と、その発光部と電気的に接続され、前記アンテナに挿通可能な小型筒形状を有する給電部とで構成したことを特徴とする請求項１に記載のカメラ付き携帯電話。
【請求項３】
前記給電部は、アンテナの外周に巻回配置されるコイルを内蔵し、前記発光部は、このコイルの両端に発生した電圧を充電するコンデンサと、そのコンデンサの充電電圧が印加されることにより連続的に発光する発光ダイオードとを内蔵したことを特徴とする請求項１又は２に記載のカメラ付き携帯電話。
【発明の詳細な説明】
【０００１】
【発明の属する技術分野】
本発明は、電子カメラを搭載し、カメラと電話の複合機能を備えたカメラ付き携帯電話に関する。
【０００２】
【従来の技術】
近年、電子カメラを搭載し、その電子カメラにより被写体を撮影して画像の取り込みおよび送受信を可能にした複合機能を備えたカメラ付き携帯電話が提案されている。
【０００３】
この種のカメラ付き携帯電話には、例えば暗い場所でも問題なく被写体を撮影することができるものがある（例えば、特許文献１参照）。つまり、カメラ付き携帯電話の本体にストロボ装置を設け、そのストロボ装置をレリーズボタンのレリーズ操作で発光させることにより、被写体をストロボ光で照明して撮影する。このようにストロボ装置を設けたことにより、暗い場所でも問題なく被写体を撮影できるようにしている。
【０００４】
また、ノイズ源に相当する液晶ディスプレイのバックライトおよび液晶パネルやストロボ装置のストロボ放電管を、電磁シールド枠体の表面に形成された収容部に収容し、電磁シールド枠体の裏面にカメラ付き携帯電話の電子回路基板を取り付けてシールドユニットを構成している。これにより、ストロボ装置や液晶ディスプレイが発する電磁波が電子回路基板に到達する前に、電磁シールド枠体によって大幅に減衰されるので、カメラ付き携帯電話の電磁波による誤動作を防止するようにしている。
【０００５】
【特許文献１】
特開２００１−３２０６２２号公報
【０００６】
【発明が解決しようとする課題】
ところで、前述したように従来のカメラ付き携帯電話では、ストロボ装置を内蔵させたことにより、暗い場所でも露出不足が発生することなく、被写体を適正に撮影することができる。
【０００７】
しかしながら、前述のカメラ付き携帯電話では、電子カメラのシャッタータイミングとストロボ装置の発光タイミングの同期をとる必要があることから、電子カメラとストロボ装置を同期制御しなければならず、回路構成も複雑になる。また、ストロボ装置を駆動するための電源を内部回路として必要とする。
【０００８】
また、このようなストロボ装置を内蔵させた構造では、前述したように電磁波による誤動作を防止する手段を考慮しなければならず、ストロボ装置の内蔵およびそのストロボ装置の電磁シールド構造によって携帯電話自体が大型化し、近年の携帯電話の小型化傾向に相反するものである。
【０００９】
さらに、ストロボ装置を内蔵しない携帯電話を使用しているユーザにとっては、被写体を暗い場所で撮影したい場合に、ストロボ装置を内蔵した携帯電話に機種変更しなければならず、迅速な対応が困難であるというのが現状であった。
【００１０】
そこで、本発明は前記問題点に鑑みて提案されたもので、その目的とするところは、簡単な構成を付加するだけで、暗い場所でも電子カメラにより被写体を撮影することができるカメラ付き携帯電話を提供することにある。
【００１１】
【課題を解決するための手段】
前記目的を達成するための技術的手段として、本発明は、被写体を撮像する電子カメラを内蔵し、その電子カメラによる被写体の撮像で取り込まれた画像を送受信するアンテナを電話本体の上部に設けたカメラ付き携帯電話において、前記アンテナから発せられる高周波により発光させて前記電子カメラによる被写体の撮像時に被写体を照明する発光ユニットを前記電話本体と別体で設けたことを特徴とする。この発光ユニットは、電話本体に付設されたストラップに取り付けられた発光部と、その発光部と電気的に接続され、前記アンテナに挿通可能な小型筒形状を有する給電部とで構成することが望ましい。
【００１２】
本発明に係るカメラ付き携帯電話では、発光ユニットの給電部をアンテナに装着するだけで、そのアンテナから発せられる高周波を給電部で検出することにより発光部を発光させることができる。このように簡単な構成の付加により、発光部を被写体に向けるだけで、暗い場所でも被写体を適正に撮影することができる。
【００１３】
この発光ユニットでは、アンテナから発せられる高周波を利用することにより発光させているので、ボタン電池などの電源を携帯電話の内外に設ける必要はない。また、この発光ユニットは、電話本体と別体に設けているため、既存の携帯電話に適用でき、新たな機種変更が不要で迅速な対応が可能である。
【００１４】
なお、給電部は、アンテナの外周に巻回配置されるコイルを内蔵し、前記発光部は、このコイルの両端に発生した電圧を充電するコンデンサと、そのコンデンサの充電電圧を印加することにより連続的に発光させる発光ダイオードとを内蔵した構造とすることが望ましい。コイルの両端に発生した高周波電圧をコンデンサに一旦充電し、そのコンデンサの充電電圧を発光ダイオードに印加することにより発光ダイオードを連続的に発光させることができる。
【００１５】
【発明の実施の形態】
本発明に係るカメラ付き携帯電話の実施形態を以下に詳述する。
【００１６】
この実施形態のカメラ付き携帯電話は、図１（ａ）（ｂ）に示すように縦長の箱状筐体からなる電話本体１で構成され、その正面の中央部上方に通信情報や画像を表示する矩形状の液晶ディスプレイ２が配置され、一方、電話本体１の背面の上方には、電子カメラを構成する撮影レンズ３が配置されている。撮影レンズ３の内部後方には、図示しないが固体撮像素子（ＣＣＤ）が配置され、このＣＣＤで撮像された被写体の映像が液晶ディスプレイ２に表示される。
【００１７】
液晶ディスプレイ２の下方には、電話番号、文字、画像データの指定・選択を実行するボタン群４が配置されると共に、電話番号を直接入力するテンキーボタン５等が配置されている。テンキーボタン５の下方には、電話の受話器の一部を構成するマイク６が配置され、また、マイク６の左側方には、カメラ付き携帯電話における機能の起動および停止を入力する電源スイッチ７が配置されている。さらに、電話本体１の右側面には、電子カメラで被写体を撮影するためのシャッターボタン８が配置されている。
【００１８】
液晶ディスプレイ２の上方には、電話の受話器の一部を構成するスピーカ９が配置されている。さらに、電話本体１の上面には、公衆回線と無線通信するためのアンテナ１０が設けられている。
【００１９】
このカメラ付き携帯電話を使用して被写体を撮影するに際しては、電話本体１の背面に設けられた撮影レンズ３を被写体に向けることにより、ＣＣＤで撮像された被写体の映像が液晶ディスプレイ２に表示される。その液晶ディスプレイ２に表示された映像を確認した上で、電話本体１の側面に設けられたシャッターボタン８を押すことにより、被写体を撮影することができる。ここで、暗い場所で被写体を撮影する場合には、液晶ディスプレイ２に表示される被写体を目視確認することが困難である。
【００２０】
そこで、この実施形態のカメラ付き携帯電話は、アンテナ１０から発せられる高周波により発光させて電子カメラによる被写体の撮像時に被写体を照明する発光ユニット１１を電話本体１と別体に設けた構造を具備する。この発光ユニット１１は、電話本体１に付設されたストラップ２０に取り付けられた発光部１２と、その発光部１２と電気的に接続され、前記アンテナ１０に挿通可能な小型筒形状を有する給電部１３とで構成されている。
【００２１】
この発光ユニット１１の給電部１３は、図２に示すようにアンテナ１０の外周に巻回されるように配置されるコイル１４と、このコイル１４に発生した電流を整流する高周波小信号用ダイオード１５とを内蔵し、発光部１２は、コイル１４の両端に発生した電圧を充電するコンデンサ１６と、そのコンデンサ１６の充電電圧を昇圧するＤＣ−ＤＣコンバータ等の昇圧回路１８と、その昇圧回路１８の出力電圧が印加されることにより発光する複数の発光ダイオード１９とを内蔵する。なお、コンデンサ１６と昇圧回路１８との間には、コンデンサ１６の充放電を制御するためのスイッチ１７が介挿されている。
【００２２】
給電部１３は、例えばゴム等の弾性部材からなる小型円筒形状のもので、アンテナ１０に挿通可能な程度の内径を有し、その内部に軸方向に沿って螺旋状に巻回されたコイル１４が埋設されている。アンテナ１０の外周に巻回配置されるコイル１４としては、０．５〜１．０ｍｍ程度の線径を有する導線を数回螺旋状に巻回した形状のものを使用すればよい。
【００２３】
一方、発光部１２は、耐久性に優れた大容量でコンパクトな電気二重層コンデンサ等のコンデンサ１６と、そのコンデンサ１６の充電電圧を発光ダイオード１９が点灯可能な所定電圧まで昇圧するための昇圧回路１８に、チップ実装用として利用される小型部品を使用することにより、例えば円盤状のキーホルダー程度の大きさとすることができる。
【００２４】
発光ダイオード１９は、複数個を束ねて近接させた状態で発光部１２の一方の面の中央部に配置し、他方の面の中央部に押しボタン等のスイッチ１７を配設する。複数個の発光ダイオード１９を並列接続することにより光量を確保することができ、白色発光ダイオードを単独使用するか、あるいは白色発光ダイオードと青色発光ダイオードを併用するようにしてもよい。白色発光ダイオードと青色発光ダイオードによるカクテル光を使用すれば、十分な照度を確保して所望の照明効果を発揮させることができる。
【００２５】
この発光部１２は、円盤状のキーホルダー程度の大きさであるため、通常、携帯電話のユーザが電話本体１に取り付けているストラップ２０に装着しておけばよい。また、給電部１３は、小型円筒状の部材であるため、発光部１２からぶら下げておくか、あるいは、適当なアタッチメントによりストラップ２０または電話本体１に着脱自在に取り付けておけばよい。このようにすれば、必要な時に即座に使用することができて紛失することもなく、既存の携帯電話に使用でき、新たな機種変更が不要で迅速に対応できる。
【００２６】
この実施形態のカメラ付き携帯電話を使用して暗い場所で被写体を撮影するに際しては、図３（ａ）（ｂ）に示すように発光ユニット１１の給電部１３をアンテナ１０に挿通させて装着する。例えば給電部１３の内径をアンテナ１０の外径とほぼ同一程度にしておけば、給電部１３が弾性部材で構成されていることから、給電部１３をアンテナ１０に圧入することにより給電部１３を保持することができる。
【００２７】
このように給電部１３をアンテナ１０に装着することにより、発光部１２のコンデンサ１６を充電する。このコンデンサ１６を充電するには、アンテナ１０から高周波が発せられている必要があるため、電子カメラを使用するに先立って、予め、携帯電話による通話時にこの給電部１３をアンテナ１０に装着しておく必要がある。
【００２８】
そして、暗い場所で被写体を撮影する時には、発光部１２を手に持って被写体に向けた状態で、スイッチ１７を押すことによりコンデンサ１６の充電電圧を昇圧回路１８で昇圧し、その昇圧回路１８の出力電圧を発光ダイオード１９に印加することにより、それら発光ダイオード１９を点灯させる。このようにコンデンサ１６の充電電圧を発光ダイオード１９に印加することで、その発光ダイオード１９を連続的に発光させることが可能となる。
【００２９】
この状態で、電子カメラの撮影レンズ３を被写体に向ければ、発光ダイオード１９によりその被写体を照明することができ、その照明下で液晶ディスプレイ２により表示される被写体を目視した上でシャッターボタン８を押すことにより、暗い場所でも被写体を適正に撮影することができる。
【００３０】
【発明の効果】
本発明によれば、被写体を照明する発光ユニットを携帯電話に外付けした形態をとっていることから、電子カメラと発光体との同期をとる必要がないので、従来のようなストロボ装置を付加する場合と比較して回路構成が複雑になることはない。また、アンテナから発せられる高周波を利用して発光ユニットを動作させるため、電池などの駆動電源が不要であり、携帯電話の小型化を阻害するものではない。また、既存の携帯電話にもそのまま使用することができるので、迅速な対応が可能となる。このように、簡単な構成を付加するだけで、暗い場所でも電子カメラにより被写体を撮影することができる。
【図面の簡単な説明】
【図１】（ａ）は本発明に係るカメラ付き携帯電話の実施形態を示す正面図、（ｂ）は（ａ）の背面図である。
【図２】図１（ａ）のカメラ付き携帯電話の発光ユニットを示す回路構成図である。
【図３】（ａ）はカメラ付き携帯電話のアンテナに発光ユニットの給電部を装着した状態を示す正面図、（ｂ）は（ａ）の背面図である。
【符号の説明】
１　電話本体
１０　アンテナ
１１　発光ユニット
１２　発光部
１３　給電部
１４　コイル
１６　コンデンサ
１９　発光ダイオード
２０　ストラップ
【図１】
2004140421.tif 000003
【図２】
2004140421.tif 000004
【図３】
2004140421.tif 000005